(57)【要約】  除細動器は事象データを経過時間指標とともに記録する。この経過時間指標は、事象データが事象データ記録器に転送される際、事象データに実際の記録時間を用いてタイムスタンプを付与するために使用される。事象データは、経過時間と実際の記録時間との双方の表示を用いて分析されることができる。
2008526342.tif 000002
【特許請求の範囲】
【請求項１】
ＥＣＧデータ分析器及び高電圧ショック供給回路を含み、心拍を分析して除細動ショックが供給されるべきかどうかを決定する、除細動器を有する除細動器システムであって：
前記除細動器の動作に関する動作データを該動作データに付随する時間データとともに格納するデータ記憶媒体；
前記データ記憶媒体に結合され、前記動作データ及び前記時間データを送信する無線送信器；及び
無線受信器を含み、送信された前記動作データ及び前記時間データの受信及び記憶のために制御プログラムを実行する事象データ記録器；
を有する除細動器システム。
【請求項２】
前記動作データは、患者の処置中に取得された患者事象データを有し；
前記時間データは、前記患者事象データに付随する経過時間データを有し；且つ
前記事象データ記録器は更に、前記経過時間データを該事象データ記録器の時間基準に相関付ける相関プロセッサを有する；
請求項１に記載の除細動器システム。
【請求項３】
前記事象データ記録器の前記時間基準は、該事象データ記録器の記録時点での実時間を有する、
請求項２に記載の除細動器システム。
【請求項４】
前記相関プロセッサは、前記除細動器の前記送信機による前記事象データ及び前記経過時間データの伝送の最中又は直後に、少なくとも１つの経過時間データを相関付ける、
請求項２に記載の除細動器システム。
【請求項５】
前記相関プロセッサは、前記伝送の先頭又はその付近にある１つの経過時間データを相関付け、且つ前記伝送の末尾又はその付近にある第２の経過時間データを相関付ける、
請求項４に記載の除細動器システム。
【請求項６】
前記事象データ記録器は更に、受信した事象データ及びそれに付随する時間に関する情報を該事象データ記録器の前記時間基準にて表示するように動作するディスプレーを含む、
請求項２に記載の除細動器システム。
【請求項７】
前記事象データ記録器は携帯情報端末を有する、
請求項１に記載の除細動器システム。
【請求項８】
ＥＣＧデータ分析器及び高電圧ショック供給回路を含み、心拍を分析して除細動ショックが供給されるべきかどうかを決定する、除細動器を有する除細動器システムであって：
前記除細動器の動作に関する動作データを該動作データに付随する時間データとともに格納するデータ記憶媒体；
前記除細動器からの前記動作データ及び前記時間データの受信に応答する事象データ記録器であり、受信した前記動作データに該事象データ記録器の時間基準でタイムスタンプを付与するための、前記時間データに応答するタイムスタンプを含む事象データ記録器；及び
前記除細動器と前記事象データ記録器との間でデータを伝送するように動作する通信リンク；
を更に有する除細動器システム。
【請求項９】
前記除細動器の前記時間データは経過時間データを有し、前記事象データ記録器の前記時間基準は該事象データ記録器の記録時点での実時間を有する、
請求項８に記載の除細動器システム。
【請求項１０】
前記事象データ記録器の前記タイムスタンプは、前記除細動器から受信した前記動作データに実時間でタイムスタンプを付与するように作用する、
請求項９に記載の除細動器システム。
【請求項１１】
前記事象データ記録器は更に、前記除細動器から受信した前記動作データ及びそれに関連する実時間を表示するように動作するディスプレーを有する、
請求項１０に記載の除細動器システム。
【請求項１２】
前記ディスプレーは更に、前記通信リンクを制御するように動作する、
請求項１１に記載の除細動器システム。
【請求項１３】
前記除細動器から受信した前記動作データに応答して該動作データを経過時間と実時間との双方で表示するように作用する、事象分析コンピュータを更に有する、
請求項９に記載の除細動器システム。
【請求項１４】
前記事象データ記録器は、前記除細動器の前記動作データを経過時間と実時間との双方で表示するように動作するディスプレーを含む、
請求項８に記載の除細動器システム。
【請求項１５】
ＡＥＤによって記録された心臓事象データを絶対時間基準に相関付ける方法であって：
前記ＡＥＤを事象データ記録器と交信状態にさせる段階；
前記事象データ及び付随する経過時間データを前記ＡＥＤから前記事象データ記録器に伝送する段階；
前記経過時間データの少なくとも１つを前記事象データ記録器の前記絶対時間基準に変換する段階；及び
前記事象データを付随する絶対時間データとともに表示する段階；
を有する方法。
【請求項１６】
変換する前記段階は更に、前記伝送の先頭にある１つの経過時間データ、及び前記伝送の末尾にある別の１つの経過時間データを前記絶対時間基準に変換する段階を有する、請求項１５に記載の方法。
【請求項１７】
前記ＡＥＤを事象データ記録器と交信状態にさせる前記段階は、前記ＡＥＤと前記事象データ記録器との間に赤外線データリンクを設立する段階を有する、請求項１５に記載の方法。
【請求項１８】
前記事象データ記録器からの前記事象データを分析コンピュータに結合させる段階を更に有し；
前記事象データを付随する絶対時間データとともに表示する前記段階は、前記事象データ及びそれに関連する実時間を前記分析コンピュータに表示する段階を有する；
請求項１５に記載の方法。
【請求項１９】
前記事象データ及びそれに関連する実時間を前記分析コンピュータに表示する前記段階は更に、前記事象データに関連する経過時間を前記分析コンピュータに表示することを有する、請求項１８に記載の方法。
【発明の詳細な説明】
【技術分野】
【０００１】
本発明は心室細動用の除細動器に関し、特に、移送される事象データが実際の記録時間と時間相関を有する自動体外除細動器（ＡＥＤ）に関する。
【背景技術】
【０００２】
ＡＥＤは、心室細動によって特徴付けられる突然の心停止に襲われた人物に対処するために利用可能であり、例えば空港、ショッピングセンター、及び製造工場やオフィスビル等の公共区域で幅広く使用されている。ＡＥＤは、患者の元に急いで運ばれ直ちに使用されるよう意図されるものであるため、一般に交流電源を動力源とせず、電池を動力源としている。また、ＡＥＤはその稼働寿命の殆どを心臓救急状態に備えた準備に費やすため、電池寿命を長期化させるようにＡＥＤの電力消費が低く保たれることが重要である。大抵、ＡＥＤが使用待機中に行う動作は、点滅する準備完了灯及び時折の静かな自己検査のみであり、それによって電力消費を最小化している。コンピュータとは異なり、最低限の管理業務がＡＥＤによって行われる、あるいは対応される。本発明に関連し、例えば、ＡＥＤは一般的に、維持され且つ電池交換の度にリセットされる必要がある内蔵実時間クロック又はカレンダーに対応していない。その代わりに、ＡＥＤに電池が最後に挿入されたときからの経過時間を単にカウントする基本的な時間カウンタが備えられている。ＡＥＤが心臓救急状態にて使用されるとき、ＡＥＤの活動（事象データ）はカウンタの経過時間カウントとともに記録されることができる。しかしながら、第１対応者から専門医療スタッフへの患者の引き渡し後、又は後に応答データが見直されるとき、事象データはその事象が発生した実際のクロック及びカレンダー時間に相関付けられることが望ましい。この能力を提供する一手法は、特許文献１に示されるようにＡＥＤから抜き取られ、データ記録又は分析システムに移し換えられることが可能なデータカードである。このデータカードはカード上で維持された実時間クロックを有し、その結果、実時間クロックデータを事象データとともに分析又は記録システムに伝えることができる。また、特許文献２及び３も参照できる。しかしながら、装置間でデータカードが移し換えられる場合に実時間クロックに対応するためには、このカードは内蔵電池を必要とする。故に、データカードが常に動作可能であり且つ実時間データを喪失しないように、電池を維持管理することが必要である。従って、電池駆動されるデータカードのコスト又は維持を必要とせずに、またＡＥＤ上の実時間クロックをサポート及び更新することを必要とせずに、実時間データを伴う事象データを移し換える技術を提供することが望まれる。
【特許文献１】米国特許第５５４９１１５号明細書
【特許文献２】米国特許第５６８０８６４号明細書
【特許文献３】米国特許第５７８５０４３号明細書
【発明の開示】
【発明が解決しようとする課題】
【０００３】
本発明は、心臓事象データを記録又は分析システムに移し換えるＡＥＤを提供することを目的とする。
【課題を解決するための手段】
【０００４】
ＡＥＤは、該ＡＥＤに記録される事象データに印を付けるために使用される内蔵の経過時間カウンタを有する。経過時間カウンタのカウントは事象データとともに転送され、事象データの経過時間指標を記録又は分析装置の実際の記録時間に相関付けるために使用される。例示される実施形態において、事象データは、後に、経過時間及び実際の記録時間の双方の情報とともに表示される。
【発明を実施するための最良の形態】
【０００５】
先ず、図１を参照するに、ＡＥＤユニット10の斜視図が示されている。ＡＥＤユニットは半分に相当する２つの部分12a及び12bを有するケース12に囲まれており、部分12a及び12bは、ケース内の電子モジュールへの水、埃及び汚染物質の侵入を防止するように閉じ合わされている。ＡＥＤユニット10はオン／オフボタン14と、除細動ショックを供給するために押し下げられるショックボタン18とを有している。ＡＥＤユニットは、プロトコル関連情報が操作者に利用可能であるときに光る情報ボタン16を有している。ＡＥＤユニットは、例えば患者への電極パッドの適切な位置などの視覚情報を操作者に表示するディスプレーであるパネル20を有している。この実施形態においては、情報及び指示はスピーカ又はヘッドホンによって音声的に伝えられる。ＡＥＤユニットはコネクタ22を有しており、このコネクタには電極パッドセットのはめ合わせコネクタがプラグ接続される。ケースの上面にはスロット30があり、このスロットにはＡＥＤを小児救助プロトコルに切り替えるための鍵のような装置が挿入される。ＡＥＤユニットとの間のデータ通信用の赤外線ポート24がケース12の側面に設けられている。波動26はＡＥＤ10への、あるいはＡＥＤ10からの赤外線信号の伝送を指し示している。
【０００６】
本発明の原理に従って、ＡＥＤユニット10は赤外線ポート24を介して事象データを送信し、その事象データは事象データ記録器44によって受信される。事象データ記録器44は、符号化された赤外波28の送受信が可能な赤外線通信ポート48を備えた、例えば携帯情報端末（ＰＤＡ）等の小型デジタル装置である。事象データ記録器はハンドシェイクプロトコルを用いてＡＥＤと通信し、例えばデータ要求等の情報が最初に送信され、それに応答してＡＥＤからデータが送信され、それが事象データ記録器によって受信される。事象データ記録器44はデータ転送を実行するためのユーザインターフェースを提供する画面46を有しており、その画面上で操作者は、より完全に後述されるように、ＡＥＤから受信した事象データを検証することができる。
【０００７】
ＡＥＤの主な構成要素がブロック図の形態で図２に示されている。ＡＥＤの操作に関する更に詳細な情報は米国特許第５８３６９９３号明細書にて入手可能である。なお、この明細書はここに組み込まれる。図２の例示において、除細動制御機能はマイクロプロセッサユニット（ＭＰＵ）102、特定用途向け集積回路（ＡＳＩＣ）104及びシステムモニター106の間で分担されている。ＭＰＵ102はメモリ114から提供されるソフトウェア命令に従ってプログラム段階を実行する。メモリ114はＥＰＲＯＭ、ＲＡＭ及びフラッシュＲＯＭメモリの内の１つ又は複数を有していてもよい。ＭＰＵはまた、例えばＡＥＤの使用中に収集されたＥＣＧ波形サンプルといった患者データのサンプルとともに、ＡＥＤに関する状態データをメモリ114に格納する。ＭＰＵ102はＬＥＤ制御回路110を介して、ショックボタン18に関するＬＥＤ、指示器に触ってはいけないことに関するＬＥＤ、及び患者の胴体上への電極パッドの適切な配置を指し示すＬＥＤ、を含むシステムＬＥＤ群の動作を制御する。ＭＰＵ102はまた、ブロック112にて示されるようなシステム状態情報、温度センサー（図示せず）からのケース12の内部の温度情報、及びコネクタ22に訓練用パッドがプラグ接続されたときのセンサーからの信号を受け取る。訓練用パッドセンサーは、訓練用電極パッドセットのコネクタに一体化された小型磁石の磁界を検知する、コネクタ22に付随する磁気センサーとすることができる。ＭＰＵはまた、ＡＥＤユニットの動作を小児救助プロトコルに切り替えるためにスロットに鍵が挿入されたときの、スロット30に付随するセンサーからの信号に応答する。
【０００８】
ＡＳＩＣ104はシステムメモリ114にメモリマップを提供する。ＡＳＩＣ104はクロック107によってクロックを与えられ、また、ＡＥＤの使用中に可聴式の指示を発するスピーカ120を制御する。ＡＳＩＣ104は、処置中のユーザによるショックボタン18の作動に応答して、ショック供給・ＥＣＧフロントエンドシステム124内のリレーを作動させることができる。ＡＳＩＣ104は、情報が利用可能であり、情報ボタン16を押し下げることによって情報にアクセスできることをユーザに信号伝達するために、情報ボタンに関連するＬＥＤを作動させる。ＡＳＩＣはまた、ＩＲポート24へのインターフェースを提供する。ＩＲポート24を介して、新たなプログラム情報がＡＥＤユニットにロードされることが可能であり、また事象データが別個のデータ記録又は分析システムに伝送されることが可能である。ＡＳＩＣ104はまた、ＡＥＤがＡＥＤ情報及び患者情報のためのディスプレーを備えるとき、パネル20での表示へのインターフェースを提供することができる。
【０００９】
システムモニター106はＡＥＤ及びその構成要素の自動自己検査を実行する。システムモニター106は、自己検査が適切なシステム動作を示していることを指し示すために状態ＬＥＤ15を制御し、また、システムが適切に動作していないときに警報を発するように警報器128を駆動する。好適な自己検査の詳細は米国特許第５８７９３７４号明細書に記載されている。なお、この明細書は参照することによりここに組み込まれる。システムモニター106はまた、オン／オフスイッチ14、情報ボタン16、及び特定の種類の電極パッド137のＡＥＤユニットへの接続を信号伝達するコネクタ22に付随するセンサーとの、除細動器のインターフェースである。システムモニター106は電源管理サブシステム132を制御し、システムの構成要素を動作させるために着脱可能な電池134から電力を供給するとともに、処置中のショック療法のためにショック供給システムのキャパシタにエネルギーを供給する。システムモニター106はまた、除細動器のＥＣＧフロントエンドと連動し、患者のＥＣＧパターンが処置（及びショックボタン18の作動）を必要としていることの検出に応答してショック供給システムがショックを供給することを可能にし、また、ショックの供給中に得られるショック供給状態情報（例えば、患者のインピーダンス）に応答して電極パッドコネクタ22及び電極パッド137へのショックの供給を制御する。この最後の機能に関する更なる情報は米国特許第５７３５８７９号及び第５６０７４５４号の明細書に記載されている。なお、これらの明細書はここに組み込まれる。
【００１０】
これらの除細動器の構成要素は、図２に示されるように、好適な通信バス上で互いに通信し合う。
【００１１】
システムモニター106は、充電された電池がＡＥＤに挿入される度にゼロからカウントし始めるカウンタを含んでいる。このカウンタは電池が挿入されてからの経過時間を秒単位で記録する。ＡＥＤが患者を処置するために動作中であるとき、メモリ119に格納された処置事象に関するデータは経過時間カウンタのカウントに関連付けられる。例えば、ＡＥＤをオンにするためにオン／オフボタン14が押し下げられたとき、ＡＥＤの電源が入った状態が、それが発生した時間である例えば2,592,000のカウントとともにメモリに記録され得る。このカウントは、電池がＡＥＤに導入された時間と電源がオンにされた時間との間に2,592,000秒が経過したことを意味している。患者を処置するためにＡＥＤのパワーが増されたとき、タイムスタンプが付けられる別の事象は患者への電極パッドの配置である。患者のＥＣＧ波形がサンプリングされ且つ記録され、記録されたサンプルにタイムスタンプが付与される。患者のインピーダンス、電圧及びショック期間を含むショックのパラメータがそうであるように、ショックの決定が記録され且つタイムスタンプを付与される。全ての時間が電池の取付からの経過時間で記録される。
【００１２】
専門家以外の者による救助の時点で、第１応答者又はその直後の救急医療応答者は患者の処置を引き継ぐために連絡を取られる。医療応答者は患者がＡＥＤに接続され、それにより監視される状態のままにし続けることもあるが、一般的には、医療応答者はＡＥＤから電極パッドのプラグを抜き、例えばフィリップス・メディカル・システム社のHeartStart  MRｘモニター／除細動器等の、より高性能な装置に電極パッドを接続する。この装置は患者の生体信号を監視し続け、必要に応じて更なるショックを与えることができる。
【００１３】
患者が医療専門家による看護に移されると、医療応答者はＡＥＤ事象データを、処置を行う医師によって事象データが検討され得るように、患者が更なる看護及び処置を受ける病院又は外傷センターに持ち込みたいと思うことになる。本発明の原理に従って、図３のフローチャートに示されるように、ＡＥＤ事象データは事象データ記録器44に転送される。第１段階302にて、ＡＥＤ10を事象データ記録器44との交信状態にさせる。これは、データケーブルを用いて事象データ記録器をＡＥＤに接続し、事象データをケーブル上で転送することによって為され得る。図１に示された実施形態においては、事象データは赤外線通信リンクによって無線伝送される。例えば“ワイファイ（Ｗｙ−ｆｉ）”等のその他の無線伝送技術が代わりに用いられてもよい。無線リンクが、例えば図１に示されたような光学的なリンク等の、見通し（line-of-sight）型リンクであるとき、単に事象データ記録器の赤外線ポートをＡＥＤの赤外線ポートに向けることによって、２つの装置は互いに交信状態に置かれる。そして段階304にて、事象データとその経過時間カウントの指標とがＡＥＤから事象データ記録器へと伝送される。段階306にて、事象データ記録器にて受信された経過時間カウントは、事象記録の実際の時間及び日付である事象データ記録器の絶対時間基準に変換される。これは、絶対時間基準をデータ転送の時点での経過時間カウントに相関付け、そして事象データの絶対時間を時間的に遡って測定するために、転送されたデータの経過時間カウントを用いることによって為される。このシーケンスの最後の段階は事象データを絶対時間基準で分析することである。この例については後述する。
【００１４】
図４は、本発明の他の一実施形態を例示している。この例においては、事象データ記録器は、ＡＥＤとのデータ転送を指揮するソフトウェアを格納したＰＤＡである。この転送ソフトウェアは、無線データ転送が行われるモードである“ケース・キャプチャ・モード”を有している。この手順は段階402にて、（赤外線通信の場合）ＡＥＤの赤外線ポートをＰＤＡの赤外線ポートに向けることによって始まる。操作者は段階404にてＡＥＤ上で、データ転送が行われるモードである“管理モード”を入力する。それに対応して、操作者は段階406にてＰＤＡ上でケース・キャプチャ・モードを入力する。そして段階408にて、ＡＥＤとＰＤＡとの間のデータ伝送が始まる。
【００１５】
この例においては、ＡＥＤにデータ要求を送信するＰＤＡによってデータ伝送が開始される。ＰＤＡからの要求にＡＥＤからのデータ応答が続き、伝送はハンドシェイク的に続けられる。図５は典型的なデータ様式を示している。この例においては、やり取りされるファイルは、図５のデータシーケンス500内で“Ｈ”によって表記される記録ヘッダを使用する記録又は事象にパッケージ化されたデータを含んでいる。各ヘッダＨは、データが記録された時点での、最後の電池挿入からの秒単位の経過時間である時間指標を含んでいる。このシーケンスにおいて、最初のファイルはＡＥＤのセットアップ構成に関するデータを格納する装置構成データファイル（Device  Configuration  Data  File；ＤＣＤ）である。これに続いているのは、ＡＥＤに現在記憶されている全ての救助エピソード又は事象記録を一覧にしたものである事象履歴ファイル（Event  History  file；ＥＨＦ）である。この実施形態においては、操作者が特定の事象データセットの伝送を見出して確保する必要性を軽減するために、転送が開始されるとき、ＡＥＤに記憶された全事象が転送される。事象データ記録器に転送される患者事象の各々に対して事象履歴ファイルに入力項目が現れる。例示されたシーケンス500においては、事象履歴ファイルの伝送は、例えばインピーダンスデータ、コモンモード電流データ及び心電図（ＥＣＧ）データ等から成る患者データ（Patient  Data；ＰＤ）（事象又は“使用”データ）の伝送に続かれる。例えば検査データファイル等のその他のファイルが伝送されてもよい。例示されたシーケンスの最後は、時間指標を含み且つデータ伝送の終わりを明らかにする後書き“Ｔ”である。
【００１６】
段階410にて、ＰＤＡによって受信されたデータは、ＡＥＤの経過時間データをＰＤＡの時間基準に相関付けるために、ＰＤＡの参照時間を用いて少なくとも一度タイムスタンプを付与される。この例においては、ＰＤＡの時間基準はＰＤＡの記録時点での実際のローカル時間及び日付である。例えば、このタイムスタンプ付与はＰＤＡにより受信された最初のヘッダの経過時間データを用いて為され得る。例えば、このタイムスタンプ付与は2,593,800秒という経過時間カウントをＰＤＡの２００４年１２月８日、午後４時３１分という参照時間／日付に相関付けてもよい。この場合、2,592,000という経過時間に発生するとして先に例示された電源オン事象の実際の時間は、1800秒だけ前に、すなわち、２００４年１２月８日の午後４時０１分に発生していたことが計算され得る。データストリーム内のその他の経過時間指標も、段階412にて、指し示されたのと同様にして相関付けられ得る。この例においては、タイムスタンプ付与は伝送の先頭にあるヘッダ内の最初の経過時間指標、及び伝送の末尾にある後書き内の最後の経過時間指標にて行われる。これら２つの指標の間の間隔は、後に、途中に介在する事象データにより正確にタイムスタンプを付与するために使用され得る。構築された一実施形態においては、全ての経過時間指標に対して、それが受信されるときにタイムスタンプを付与することにより、伝送される全ての時間を伝送が終わるまでに相関付けることが望ましい場合がある。
【００１７】
段階414にて、事象データは実際のローカル時間に関連させて表示される。これが為され得る一手法は、図６に示されるような、ＰＤＡの画面上への患者使用ディレクトリの表示による。患者使用ディレクトリはＰＤＡへの伝送に先立ってＡＥＤにてフォーマットされてもよいし、あるいは、事象履歴ファイルデータが、ＰＤＡによって受信された後に表示されるディレクトリ用に個々の使用に解剖されてもよい。この例においては、ＡＥＤは、使用ＩＤ１として画面上で識別された単一の患者事象又は使用からのデータのみを格納している。この患者使用ディレクトリは、この事象又は使用が２００４年１２月８日（水曜）の午後４時１１分に発生したことを示している。
【００１８】
本発明の更なる一態様に従って、担当医は、例えば、患者が搬送された救急治療室内で、ＰＤＡに記憶された事象データを限定的に再検討するためにＰＤＡを使用することが可能である。医師は、図６に示された記録選択画面を呼び出し、患者使用ディレクトリ内の事象の１つを棒（wand）又はポインタを用いて選択する。そして、医師は“読込”を選択し、選択された事象データが図７乃至９に例示されるような表示のためにＰＤＡにロードされる。図７は、ＡＥＤの電源がオンにされた時点から始まるＥＣＧデータを、電源オン時点を00:00:00として参照する経過時間スケールに対して示している。この例では、電極パッドが患者に取り付けられ、ＥＣＧ波形が検出・分析される時点で６秒が経過している。医師は画面の右側にある表示バーをスライドさせて、例えば図８に示されるような次のセグメントなど、その後のＥＣＧデータのセグメントを見ることができる。医師はまた、事象データの主な発生がリストアップされた画面の左上のメニューをプルダウンする選択肢を与えられる。図８は、１つのそのような発生であるＥＣＧの開始を示しており、これは電源オンの６秒後に発生しているとして示されている。医師はこのプルダウンメニューからショック勧告を選択することができ、表示は図９に示されるようにこの事象が行われたセグメントにジャンプする。ここでは、ショックは電源オンから４３秒後に勧告されている。事象データの主な発生は、ＥＣＧ表示上で色付きの縦線で印されており、また、図８及び９に例示されているように注釈を付けられている。
【００１９】
医師が事象データを見直して分析することを望むとき、データは事象データ記録器44からパーソナルコンピュータ又はワークステーション（ＰＣ）に転送される。これは、ケーブル、又は赤外線若しくはその他の無線リンクを用いてデータをＰＣに転送することによって為され得る。事象データ記録器としてＰＤＡが使用されるとき、ＰＣに接続された格納台にＰＤＡを置くことによってデータは都合良く、ＰＤＡの同期化の一部として、あるいはそれに加えて転送されることができる。この同期化の間に、ＰＤＡ及びＰＣの実時間の日付／クロックは、ＰＣのディスプレーが正確にタイムスタンプを付与された事象を表示するように同期化され得る。図１０は、“ケースマネージャ”と呼ばれる事象データの典型的なＰＣ表示を例示している。この実施形態においては、ケースマネージャの機能が左側の欄に示されている。ケースマネージャの表示画面では、ＥＣＧ事象データのセグメントは、主な発生事象がＥＣＧデータの左側にリストアップさせて示されている。ユーザはリストアップされた主な発生事象の１つをクリックすることができ、データ表示はその発生事象を含むＥＣＧ波形のセグメントを示すことになる。主な発生事象は、ＰＤＡのディスプレー上でそうであったように、色付けされた縦線とテキストの注釈とで印されている。加えて、別の方法で色付けされた、ＥＣＧデータ内をスクロールする縦線1001がＥＣＧ表示の中央の一片に示されている。各片の先頭の日付及び時間が、ＡＥＤによって記録された経過時間データから実際の記録時間に変換されて、各片の左上に示されている。縦線1001の点の日付及び時間は画面の底部に２つの方式で示されている。この例では２００４年１２月８日であるＥＣＧデータの日付に加え、スクロールする縦線1001の時間が経過時間と実際の記録時間との双方で示されている。この例では、線1001の点の経過時間はＡＥＤの電源オンから13.65秒であり、これは“実時間”（記録時間）の16:30:36である。見直し者が線1001を表示上の異なる点にスクロールあるいは移動させると、画面底部の経過時間及び実時間の表示はそれに従って更新される。
【図面の簡単な説明】
【００２０】
【図１】ＡＥＤから事象データ記録器へのＡＥＤ事象データの移送を例示する図である。
【図２】ＡＥＤの主な操作サブシステムを形成する概略図を例示する図である。
【図３】本発明の第１実施形態を示すフローチャートである。
【図４】本発明の第２実施形態を示すフローチャートである。
【図５】事象データがＡＥＤから記録又は分析システムに移送されるデータ様式を例示する図である。
【図６】本発明の原理に従った事象データ記録器の表示画面を例示する図である。
【図７】本発明の原理に従った事象データ記録器の表示画面を例示する図である。
【図８】本発明の原理に従った事象データ記録器の表示画面を例示する図である。
【図９】本発明の原理に従った事象データ記録器の表示画面を例示する図である。
【図１０】本発明の原理に従った分析装置の表示画面を例示する図である。
【図１】
2008526342.tif 000003
【図２】
2008526342.tif 000004
【図３】
2008526342.tif 000005
【図４】
2008526342.tif 000006
【図５】
2008526342.tif 000007
【図６】
2008526342.tif 000008
【図７】
2008526342.tif 000009
【図８】
2008526342.tif 000010
【図９】
2008526342.tif 000011
【図１０】
2008526342.tif 000012
【国際調査報告】
2008526342.tif 000013
2008526342.tif 000014
2008526342.tif 000015
2008526342.tif 000016